(57)【要約】【課題】  光スイッチを切り替え中に電源が切断された場合、光スイッチの切り替えが完了せず、電源復旧後の動作に障害が発生するという問題があった。【解決手段】  本件開示の光信号切替装置は、受信する切替信号の状態を保持する保持部を有し、切替信号に基づいて光信号の経路を切り替える光スイッチと、電源の復旧を検出する検出部を有し、電源が復旧したときに、光スイッチに保持された切替信号の状態と同じ状態の切替信号を光スイッチに出力する制御部とを有することを特徴とする。【選択図】図１
2016171430.tif 000002
【特許請求の範囲】
【請求項１】
受信する切替信号の状態を保持する保持部を有し、前記切替信号に基づいて光信号の経路を切り替える光スイッチと、
電源の復旧を検出する検出部を有し、電源が復旧したときに、前記光スイッチに保持された前記切替信号の状態と同じ状態の前記切替信号を前記光スイッチに出力する制御部と
を有することを特徴とする光信号切替装置。
【請求項２】
受信する切替信号の状態を保持する保持部を有し、前記切替信号に基づいて光信号の経路を切り替える光スイッチを用い、電源が復旧したときに、前記光スイッチに保持された前記切替信号の状態と同じ状態の前記切替信号を前記光スイッチに出力することを特徴とする光信号切替方法。
【請求項３】
受信する送信データを保持する記憶部と、
前記記憶部に保持された送信データを光信号に変換する電気光変換部と、
受信する切替信号の状態を保持する保持部を有し、前記切替信号に基づいて前記光信号の経路を切り替える光スイッチと、
電源の復旧を検出する検出部を有し、電源が復旧したときに、前記切替信号の状態と同じ状態の前記切替信号を前記光スイッチに出力する制御部と
を有し、
前記制御部は、電源が復旧したときに予め決められた期間の前記送信データを前記記憶部に蓄積し、前記光スイッチの切り替えが終了してから前記記憶部に蓄積された前記送信データの送信を開始する
ことを特徴とする光通信装置。
【請求項４】
受信する送信データを保持する記憶部を有し、前記記憶部に保持された送信データを光信号に変換して送信する光通信装置における光信号切替方法であって、
受信する切替信号の状態を保持する保持部を有し、前記切替信号に基づいて前記光信号の経路を切り替える光スイッチを用い、電源が復旧したときに、前記光スイッチに保持された前記切替信号の状態と同じ状態の前記切替信号を前記光スイッチに出力すると共に、予め決められた期間の前記送信データを前記記憶部に蓄積して前記光スイッチの切り替えが終了してから前記記憶部に蓄積された前記送信データの送信を開始することを特徴とする光信号切替方法。
【発明の詳細な説明】
【技術分野】
【０００１】
本発明は、光信号切替装置、光通信装置および光信号切替方法に関する。
【背景技術】
【０００２】
光信号を使用するＷＤＭ(Wavelength Division Multiplexing)装置などの光通信装置において、光信号を切り替える光スイッチが使用されている。ところが、光信号の切替え動作中に電源断が発生した場合、光スイッチ内部のメカニカルリレーが中間位置で止まり、光信号が正常に出力されなくなるという問題が生じる。そこで、電源が復旧したときに光スイッチを初期状態に切り替える技術が検討されている（例えば特許文献１参照）。
【先行技術文献】
【特許文献】
【０００３】
【特許文献１】特開平１１−１１２４２４号公報
【発明の概要】
【発明が解決しようとする課題】
【０００４】
ところが、電源復旧時に初期状態になるため、電源切断時の光スイッチの状態に戻らないという問題があった。
【０００５】
本件開示の光信号切替装置、光通信装置および光信号切替方法は、電源切断時に切り替え中であった光スイッチの切り替えを電源復旧時に完了する技術を提供することを目的とする。
【課題を解決するための手段】
【０００６】
本件開示の光信号切替装置は、受信する切替信号の状態を保持する保持部を有し、切替信号に基づいて光信号の経路を切り替える光スイッチと、電源の復旧を検出する検出部を有し、電源が復旧したときに、光スイッチに保持された切替信号の状態と同じ状態の切替信号を光スイッチに出力する制御部とを有することを特徴とする。
【０００７】
本件開示の光信号切替方法は、受信する切替信号の状態を保持する保持部を有し、切替信号に基づいて光信号の経路を切り替える光スイッチを用い、電源が復旧したときに、光スイッチに保持された切替信号の状態と同じ状態の切替信号を光スイッチに出力することを特徴とする。
【０００８】
本件開示の光通信装置は、受信する送信データを保持する記憶部と、記憶部に保持された送信データを光信号に変換する電気光変換部と、受信する切替信号の状態を保持する保持部を有し、切替信号に基づいて光信号の経路を切り替える光スイッチと、電源の復旧を検出する検出部を有し、電源が復旧したときに、切替信号の状態と同じ状態の切替信号を光スイッチに出力する制御部とを有し、制御部は、電源が復旧したときに予め決められた期間の送信データを記憶部に蓄積し、光スイッチの切り替えが終了してから記憶部に蓄積された送信データの送信を開始することを特徴とする。
【０００９】
本件開示の光信号切替方法は、受信する送信データを保持する記憶部を有し、記憶部に保持された送信データを光信号に変換して送信する光通信装置における光信号切替方法であって、受信する切替信号の状態を保持する保持部を有し、切替信号に基づいて光信号の経路を切り替える光スイッチを用い、電源が復旧したときに、光スイッチに保持された切替信号の状態と同じ状態の切替信号を光スイッチに出力すると共に、予め決められた期間の送信データを記憶部に蓄積して光スイッチの切り替えが終了してから記憶部に蓄積された送信データの送信を開始することを特徴とする。
【発明の効果】
【００１０】
本件開示の光信号切替装置、光通信装置および光信号切替方法は、電源切断時に切り替え中であった光スイッチの切り替えを電源復旧時に完了することができる。
【図面の簡単な説明】
【００１１】
【図１】光通信装置の一例を示す図である。
【図２】ステータス保持部の動作の一例を示す図である。
【図３】光スイッチの切替例を示す図である。
【図４】制御部の一例を示す図である。
【図５】光スイッチの切り替えシーケンスの一例を示す図である。
【図６】本実施形態における光スイッチの切り替えシーケンスの一例を示す図である。
【図７】光通信装置の応用例を示す図である。
【発明を実施するための形態】
【００１２】
以下、図面を用いて実施形態を説明する。
【００１３】
図１は、光通信装置１０１の一例を示す。図１において、光通信装置１０１は、光スイッチ１１０、制御部１１１、光通信部１１２および電源部１１３を有する。また、光通信装置１０１には、制御端末１０２が接続され、制御端末１０２によって光通信装置１０１の監視や制御が行われる。
【００１４】
光スイッチ１１０は、光学経路を機械的に切り替えるリレーである。光スイッチ１１０は、制御部１１１から出力される切替信号の制御により、光通信部１１２から受ける光信号Ａ１を２つの光出力のいずれかに出力する。例えば、光スイッチ１１０は、ハイレベルの切替信号Ｄ１を受けたことを契機として、光通信部１１２から受ける光信号Ａ１を一方の光出力Ｅ１に出力する。また、光スイッチ１１０は、ハイレベルの切替信号Ｄ２を受けたことを契機として、光通信部１１２から受ける光信号Ａ１を他方の光出力Ｅ２に出力する。
【００１５】
また、光スイッチ１１０は、ステータス保持部１５１を有する。ステータス保持部１５１は、電源が切断されても情報が保持される不揮発性のメモリを有し、制御部１１１が異なる配線を介してそれぞれ出力する切替信号Ｄ１および切替信号Ｄ２の状態を示す情報を保持する。ステータス保持部１５１は、切替信号Ｄ１の状態を示すステータスＳＴ１の情報と、切替信号Ｄ２の状態を示すステータスＳＴ２の情報とを、それぞれ異なる配線を介して制御部１１１に出力する。例えば、光スイッチ１１０がハイレベルの切替信号Ｄ１を受けたときは、ステータスＳＴ１の情報は論理”１”となり、光スイッチ１１０がハイレベルの切替信号Ｄ２を受けたときは、ステータスＳＴ２の情報は論理”１”となる。なお、ステータス保持部１５１は、受信する切替信号の状態を保持する保持部の一例である。
【００１６】
制御部１１１は、光通信装置１０１全体の動作を制御する。本実施形態では、制御部１１１は、例えば制御端末１０２の指令により、光スイッチ１１０の切り替えを行うものとするが、制御部１１１が光信号Ａ１の宛先を判別して宛先に応じて光スイッチ１１０を切り替えるようにしてもよい。また、制御部１１１は、電源断から電源が復旧したか否かを検出する機能を有する。そして、制御部１１１は、電源断から電源が復旧したときに、光スイッチ１１０のステータス保持部１５１のステータスＳＴ１の情報およびステータスＳＴ２の情報を確認する。そして、ステータスＳＴ１が論理”１”を示す場合、制御部１１１は光スイッチ１１０にハイレベルの切替信号Ｄ１を出力し、ステータスＳＴ２が論理”１”を示す場合、制御部１１１は光スイッチ１１０にハイレベルの切替信号Ｄ２を出力する。これにより、制御部１１１は、ステータス保持部１５１に保持されたステータスＳＴ１、ＳＴ２の情報と一致するように、光スイッチ１１０に切替信号Ｄ１、Ｄ２を出力することができる。例えば、光スイッチ１１０のリレーを切り替え中（例えば４０ｍｓｅｃ未満）に電源断が発生して、リレーが完全に切り替わらなかった場合、制御部１１１は、電源断時と同じ切替信号を光スイッチ１１０に出力することになる。したがって、光スイッチ１１０は、電源断が発生してリレーが完全に切り替わらなかった場合には、切替時と同じ切替信号を光スイッチ１１０に出力することで、電源復旧時に切り替え途中であったリレーの切り替えを完了することができる。
【００１７】
光通信部１１２は、レーザーダイオードやアンプなどを有し、外部から受ける光信号を増幅して光信号Ａ１を出力する。或いは、光通信部１１２は、電気的なデータ信号を受信して光信号に変換するものであってもよい。電気的なデータ信号を受信して光信号を出力する光通信部の例は、例えば図７に示される。
【００１８】
電源部１１３は、光通信装置１０１の動作に要する電源を供給する。電源部１１３は、例えば１００Ｖの商用電源に接続され、光スイッチ１１０、制御部１１１および光通信部１１２のそれぞれの動作に要する電源を供給する。
【００１９】
このように、本実施形態に係る光通信装置１０１は、電源断からの復旧時に、光スイッチ１１０内部のステータス保持部１５１に保持された切替信号の状態を参照して、電源断時の切り替えと同じ切替信号を出力する。これにより、本実施形態に係る光通信装置１０１は、光スイッチ１１０の切り替え中に電源断が発生した場合でも、電源復旧時に切り替え中であった光スイッチ１１０の切り替えを完了することができる。
【００２０】
図２は、ステータス保持部１５１の動作の一例を示す。図２において、横軸は時間を示し、縦軸は論理レベルを示す。また、論理”０”はＬｏｗレベルであり、論理”１”はＨｉｇｈレベルである。ここで、切替信号Ｄ１、切替信号Ｄ２、ステータスＳＴ１およびステータスＳＴ２は、図１に示した同符号の信号と同じ信号を示す。なお、図２において、時刻Ｔ１０以前は、ステータスＳＴ１が論理”０”の状態にあり、ステータスＳＴ２が論理”１”の状態にあるものとする。
【００２１】
時刻Ｔ１０において、切替信号Ｄ１が立ち上がって論理”０”から論理”１”になる。切替信号Ｄ１の立ち上がりエッジでステータスＳＴ１は論理”０”から論理”１”に反転され、ステータスＳＴ２は論理”１”から論理”０”に反転される。このように、ステータスＳＴ１とステータスＳＴ２とは、常に排他的な関係にある。
【００２２】
時刻Ｔ１１において、切替信号Ｄ１のハイレベル期間が終了して論理”１”から論理”０”に戻るが、ステータスＳＴ１およびステータスＳＴ２の論理レベルは、切替信号Ｄ１のハイレベル期間が終了しても維持される。
【００２３】
時刻Ｔ１２において、切替信号Ｄ２が立ち上がって論理”０”から論理”１”になるが、切替信号Ｄ２の立ち上がりエッジでステータスＳＴ２は論理”０”から論理”１”に反転され、ステータスＳＴ１は論理”１”から論理”０”に反転される。
【００２４】
時刻Ｔ１３において、切替信号Ｄ２のハイレベル期間が終了して論理”１”から論理”０”に戻るが、ステータスＳＴ１およびステータスＳＴ２の論理レベルは、切替信号Ｄ２のハイレベル期間が終了しても維持される。
【００２５】
時刻Ｔ１４において、切替信号Ｄ１が立ち上がって論理”０”から論理”１”になるが、切替信号Ｄ１の立ち上がりエッジでステータスＳＴ１は論理”０”から論理”１”に反転され、ステータスＳＴ２は論理”１”から論理”０”に反転される。
【００２６】
時刻Ｔ１５において、切替信号Ｄ１のハイレベル期間が終了して論理”１”から論理”０”に戻るが、ステータスＳＴ１およびステータスＳＴ２の論理レベルは、切替信号Ｄ１のハイレベル期間が終了しても維持される。
【００２７】
なお、時刻Ｔ１６から時刻Ｔ１７の期間に切替信号Ｄ１がハイレベルになるが、ステータスＳＴ１は既に論理”１”の状態になっているので、ステータスＳＴ１の論理レベルは変化しない。ステータスＳＴ２についても同様である。
【００２８】
このように、ステータス保持部１５１は、切替信号Ｄ１および切替信号Ｄ２の立ち上がりエッジを捉えて切替信号Ｄ１および切替信号Ｄ２の論理レベルを保持する。これにより、ステータス保持部１５１は、切替信号Ｄ１および切替信号Ｄ２のパルス幅に依存せずに、切替信号Ｄ１および切替信号Ｄ２の論理レベルを保持することができる。
【００２９】
図３は、光スイッチ１１０の切り替えの一例を示す。なお、図３に示した光スイッチ１１０は、理解の便宜のため、電気的な回路を切り替える形式で描いてあるが、光信号の場合は、プリズムやミラーなどの光学部品により、経路の切り替えを行う。
【００３０】
図３（ａ）は、光スイッチ１１０が光信号Ａ１を光出力Ｅ１に出力している状態を示している。図３（ｂ）は、図３（ａ）の状態から、光スイッチ１１０がハイレベルの切替信号Ｄ２（例えば４０ｍｓｅｃのパルス）を受け、光信号Ａ１の出力先が光出力Ｅ２に切り替えられた状態を示している。図３（ｃ）は、図３（ｂ）の状態から、光スイッチ１１０がハイレベルの切替信号Ｄ１（例えば４０ｍｓｅｃのパルス）を受けて、光信号Ａ１の出力先が光出力Ｅ１に切り替えられた状態を示している。このように、光スイッチ１１０は、切替信号Ｄ１または切替信号Ｄ２として４０ｍｓｅｃ以上のパルスが入力されると、光信号Ａ１の出力先を光出力Ｅ１または光出力Ｅ２に切り替えることができる。ところが、図３（ｂ）の状態において、光スイッチ１１０は、４０ｍｓｅｃ未満のパルスを切替信号Ｄ１または切替信号Ｄ２として受けた場合、図３（ｃ）の状態にならない場合が生じる。図３（ｄ）は、切替信号Ｄ１のパルス幅が図３（ｃ）の切替信号Ｄ１のパルス幅よりも短い場合の一例を示す。図３（ｄ）において、光スイッチ１１０は切替信号Ｄ１を受けるが、切り替え中に停電や瞬断などが発生して、パルス幅が例えば１０ｍｓｅｃになった場合、光スイッチ１１０が完全に切り替わらずに途中で停止する。光スイッチ１１０の切り替えが途中で停止した場合、光スイッチ１１０が受ける光信号Ａ１が光出力Ｅ１および光出力Ｅ２のいずれにも出力されない状態になったり、出力が低下して不安定な状態になる。そこで、本実施形態に係る光通信装置１０１では、電源が復旧したときに、切り替え途中で停止したリレーを停止時と同じ方向に駆動してリレーの切り替えを完了する。これにより、リレーの切り替え不良に依る電源復旧時の通信障害の発生が防止される。
【００３１】
図４は、制御部１１１の一例を示す。図４において、制御部１１１は、電源判別部２０１、ステータスモニタ部２０２および切替制御部２０３を有する。
【００３２】
電源判別部２０１は、電源部１１３の状態をモニタして、電源が復旧したか否かを判別する。そして、電源が復旧した場合に、電源判別部２０１は、切替制御部２０３に電源の復旧を通知する。なお、電源判別部２０１は、電源の復旧を検出する検出部の一例である。
【００３３】
ステータスモニタ部２０２は、図１に示したステータス保持部１５１が出力するステータスＳＴ１およびステータスＳＴ２の状態（例えば論理”１”、論理”０”）をモニタする。そして、ステータスモニタ部２０２は、ステータスＳＴ１およびステータスＳＴ２の状態を切替制御部２０３に出力する。
【００３４】
切替制御部２０３は、電源判別部２０１から電源復旧の通知を受けた場合、ステータスモニタ部２０２から受け取ったステータスＳＴ１およびステータスＳＴ２の状態に基づいて、切替信号Ｄ１または切替信号Ｄ２を出力する。例えば、切替制御部２０３は、ステータスＳＴ１が論理”１”を示す場合はハイレベルの切替信号Ｄ１を出力し、ステータスＳＴ２が論理”１”を示す場合はハイレベルの切替信号Ｄ２を出力する。
【００３５】
図５は、比較例として光スイッチ１１０の切り替えシーケンスの一例を示す。図５（ａ）は、電源断が生じない場合の光スイッチ１１０の切り替えシーケンスの一例を示し、図５（ｂ）は、電源断が生じた場合の光スイッチ１１０の切り替えシーケンスの一例を示す。
【００３６】
図５（ａ）において、横軸は時間を示し、電源部１１３が供給する電源は、常にオン（ＯＮ）の状態になっている。
【００３７】
時刻Ｔ０において、光スイッチ１１０は、光信号Ａ１を光出力Ｅ１に出力している。
【００３８】
時刻Ｔ１において、制御部１１１は、例えば図１に示した制御端末１０２から光信号Ａ１の出力先を光出力Ｅ１から光出力Ｅ２に切り替えるように指令を受ける。そして、制御部１１１は、ハイレベルの切替信号Ｄ２を出力する。
【００３９】
時刻Ｔ２において、制御部１１１は、ハイレベルの切替信号Ｄ２の出力を終了する。そして、光スイッチ１１０は、光信号Ａ１を光出力Ｅ２に出力する。ここで、図５では、説明がわかり易いように、切り替えパルスを誇張して描いてあるが、時刻Ｔ１から時刻Ｔ２の時間は、例えば４０ｍｓｅｃ程度の時間であり、光信号Ａ１の出力先が光出力Ｅ１から光出力Ｅ２に瞬間的に切り替わる。
【００４０】
時刻Ｔ３において、制御部１１１は、例えば図１に示した制御端末１０２から光信号Ａ１の出力先を光出力Ｅ２から光出力Ｅ１に切り替えるように指令を受ける。そして、制御部１１１は、ハイレベルの切替信号Ｄ１を出力する。
【００４１】
時刻Ｔ４において、制御部１１１は、ハイレベルの切替信号Ｄ１の出力を終了する。そして、光スイッチ１１０は、光信号Ａ１を光出力Ｅ１に出力する。
【００４２】
このようにして、本実施形態に係る光通信装置１０１は、光スイッチ１１０が受ける光信号Ａ１を光出力Ｅ１または光出力Ｅ２に切り替えて出力することができる。
【００４３】
図５（ｂ）は、図５（ａ）と同様に、横軸は時間を示す。図５（ｂ）は、図５（ａ）に示すハイレベルの切替信号Ｄ２が出力されているときに停電などによる電源断が発生し、その後、電源が復旧する場合の一例を示す。
【００４４】
時刻Ｔ０において、光スイッチ１１０は、図５（ａ）と同様に、光信号Ａ１を光出力Ｅ１に出力している。
【００４５】
時刻Ｔ１において、制御部１１１は、図５（ａ）と同様に、例えば図１に示した制御端末１０２から光信号Ａ１の出力先を光出力Ｅ１から光出力Ｅ２に切り替えるように指令を受ける。そして、制御部１１１は、ハイレベルの切替信号Ｄ２を出力する。
【００４６】
時刻Ｔ５において、停電などによる予期しない電源断が発生する。このため、時刻Ｔ１から出力中の切替信号Ｄ２は、途中で出力されなくなり、光スイッチ１１０のリレーは完全に切り替わらないまま止まってしまう。
【００４７】
時刻Ｔ６において、電源が復旧する。しかし、光スイッチ１１０のリレーは、切替途中で止まったままなので、光信号Ａ１は、光出力Ｅ１および光出力Ｅ２のいずれにも出力されない不定状態になる。一方、図１に示した離れた場所にある制御端末１０２は、時刻Ｔ１で切り替え指示が終了済みであると認識している。つまり、制御端末１０２は、光通信装置１０１の光スイッチ１１０が光出力Ｅ２側に切り替わっているものとして管理するが、実際の光スイッチ１１０の状態と異なるという問題が生じる。
【００４８】
図６は、ステータス保持部１５１を用いた光スイッチ１１０の切り替えシーケンスの一例を示す。なお、図６において、図５と同符号の時刻は図５と同じ時刻を示し、図５と同一又は同様の処理が実行される。図６（ａ）は、図５（ａ）と同様に、電源断が生じない場合の光スイッチ１１０の切り替えシーケンスの一例を示す。また、図６（ｂ）は、図５（ｂ）と同様に、電源断が生じた場合の光スイッチ１１０の切り替えシーケンスの一例を示す。
【００４９】
図６（ａ）において、横軸は時間を示し、電源部１１３が供給する電源は、常にオン（ＯＮ）の状態になっている。
【００５０】
時刻Ｔ０において、光スイッチ１１０は、光信号Ａ１を光出力Ｅ１に出力している。また、ステータス保持部１５１は、ステータスＳＴ１に論理”１”を出力し、ステータスＳＴ２に論理”０”を出力している。
【００５１】
時刻Ｔ１において、制御部１１１は、図５（ａ）と同様に、例えば図１に示した制御端末１０２から光信号Ａ１の出力先を光出力Ｅ１から光出力Ｅ２に切り替えるように指令を受ける。そして、制御部１１１は、ハイレベルの切替信号Ｄ２を出力する。ステータス保持部１５１は、切替信号Ｄ２の立ち上がりエッジを捉えて、ステータスＳＴ１を論理”１”から論理”０”に反転し、ステータスＳＴ２を論理”０”から論理”１”に反転する。
【００５２】
時刻Ｔ２において、制御部１１１は、図５（ａ）と同様に、ハイレベルの切替信号Ｄ２の出力を終了する。そして、光スイッチ１１０は、光信号Ａ１を光出力Ｅ２に出力する。この時点において、ステータス保持部１５１は、ステータスＳＴ１に論理”０”を保持し、ステータスＳＴ２に論理”１”を保持している。
【００５３】
時刻Ｔ３において、制御部１１１は、図５（ａ）と同様に、例えば図１に示した制御端末１０２から光信号Ａ１の出力先を光出力Ｅ２から光出力Ｅ１に切り替えるように指令を受ける。そして、制御部１１１は、ハイレベルの切替信号Ｄ１を出力する。ステータス保持部１５１は、切替信号Ｄ１の立ち上がりエッジを捉えて、ステータスＳＴ１を論理”０”から論理”１”に反転し、ステータスＳＴ２を論理”１”から論理”０”に反転する。
【００５４】
時刻Ｔ４において、制御部１１１は、ハイレベルの切替信号Ｄ１の出力を終了する。そして、光スイッチ１１０は、光信号Ａ１を光出力Ｅ１に出力する。この時点において、ステータス保持部１５１は、のステータスＳＴ１に論理”１”を保持し、ステータスＳＴ２に論理”０”を保持する。
【００５５】
このようにして、本実施形態に係る光通信装置１０１は、光スイッチ１１０が受ける光信号Ａ１を光出力Ｅ１または光出力Ｅ２に切り替えて出力することができる。
【００５６】
図６（ｂ）は、図６（ａ）と同様に、横軸は時間を示す。図６（ｂ）は、図５（ｂ）と同様に、図６（ａ）に示すハイレベルの切替信号Ｄ２が出力されているときに停電などによる電源断が発生し、その後、電源が復旧する場合の一例を示す。
【００５７】
時刻Ｔ０において、光スイッチ１１０は、図６（ａ）と同様に、光信号Ａ１を光出力Ｅ１に出力している。また、ステータス保持部１５１は、ステータスＳＴ１に論理”１”を出力し、ステータスＳＴ２に論理”０”を出力している。
【００５８】
時刻Ｔ１において、制御部１１１は、図６（ａ）と同様に、例えば図１に示した制御端末１０２から光信号Ａ１の出力先を光出力Ｅ１から光出力Ｅ２に切り替えるように指令を受ける。そして、制御部１１１は、ハイレベルの切替信号Ｄ２を出力する。ステータス保持部１５１は、切替信号Ｄ２の立ち上がりエッジを捉えて、ステータスＳＴ１を論理”１”から論理”０”に反転し、ステータスＳＴ２を論理”０”から論理”１”に反転する。
【００５９】
時刻Ｔ５において、図５（ｂ）と同様に、停電などによる予期しない電源切断が発生する。このため、切替信号Ｄ２は、パルスの途中で出力されなくなり、光スイッチ１１０のリレーは完全に切り替わらないまま停止する場合がある。しかし、ステータス保持部１５１は不揮発性のメモリなので、ステータスＳＴ１は論理”０”に保持され、ステータスＳＴ２は論理”１”に保持される。つまり、ステータス保持部１５１は、時刻Ｔ１のハイレベルの切替信号Ｄ２によって光スイッチ１１０の切り替えが完了した後の状態を保持している。
【００６０】
時刻Ｔ６において、電源が復旧する。そして、制御部１１１は、光スイッチ１１０のステータス保持部１５１が出力するステータスＳＴ１およびステータスＳＴ２の状態を確認する。図６（ｂ）の例では、時刻Ｔ６におけるステータスＳＴ２が論理”１”の状態なので、制御部１１１は、ハイレベルの切替信号Ｄ２を出力する。
【００６１】
時刻Ｔ７において、制御部１１１は、ハイレベルの切替信号Ｄ２の出力を終了する。そして、光スイッチ１１０は、光信号Ａ１を光出力Ｅ２に出力する。つまり、制御部１１１は、時刻Ｔ５で停止した光スイッチ１１０の切り替えを時刻Ｔ６から時刻Ｔ７で再び実行する。これにより、制御部１１１は、光スイッチ１１０の切り替え中に電源切断が発生して光スイッチ１１０の切り替えが完了しなかった場合でも、電源復旧時に光スイッチ１１０の切り替えを完了することができる。
【００６２】
なお、時刻Ｔ３および時刻Ｔ４における動作は、図６（ａ）と同じなので、重複する説明は省略する。
【００６３】
このように、本実施形態に係る光通信装置１０１は、光スイッチ１１０を切り替え中に電源断が発生して光スイッチ１１０の切り替えが完了しなかった場合でも、電源復旧時に切り替えを完了することができる。
（応用例）
図７は、図１に示した光通信装置１０１の応用例を示す。図７に示した光通信装置１０１ａにおいて、図１と同符号のブロックは図１と同一又は同様の機能を有する。図７において、図１と異なる部分は、光通信部１１２ａと制御部１１１ａである。以下、図１と異なる部分について説明する。
【００６４】
図７において、光通信部１１２ａは、バッファ１１４、Ｅ／Ｏ（Electrical/Optical）変換部１１５およびアンプ１１６を有する。ここで、図１に示した光通信部１１２は、光信号の送信データを受けるが、図７に示した光通信部１１２ａは、電子信号の送信データを受ける。
【００６５】
バッファ１１４は、外部から受信する送信データを一時的に蓄積する記憶部の一例であり、蓄積した送信データをＥ／Ｏ変換部１１５に出力する。なお、バッファ１１４が一時的に蓄積する送信データ量は、制御部１１１ａにより制御される。
【００６６】
Ｅ／Ｏ変換部１１５は、バッファ１１４から出力される送信データを電気信号から光信号に変換する。
【００６７】
アンプ１１６は、Ｅ／Ｏ変換部１１５が出力する光信号を増幅して光スイッチ１１０に出力する。
【００６８】
制御部１１１ａは、図１で説明した制御部１１１と基本的な動作は同じである。本応用例では、制御部１１１ａは、電源回復時にバッファ１１４に蓄積する送信データ量を増加させる。この場合、制御部１１１ａは、起動プログラムの最初の方でバッファ１１４に蓄積する送信データ量を増加させるように指令を出すものとする。これにより、バッファ１１４における送信データの取りこぼしが抑制される。或いは、バッファ１１４は、電源投入時に自律的に送信データの蓄積を開始し、制御部１１１ａがバッファ１１４に蓄積停止の指令を出すまで送信データを蓄積するようにしてもよい。これにより、バッファ１１４は、制御部１１１ａの起動時間に拘らず、通電開始と同時に送信データを蓄積することができ、送信データの取りこぼしがさらに抑制される。
【００６９】
このように、本応用例における光通信装置１０１ａは、電源回復時に光スイッチ１１０の切り替えが完了するまで送信データをバッファ１１４に蓄積するので、廃棄される送信データを少なくし、意図しない経路に送信されることを防止できる。
【００７０】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００７１】
１０１，１０１ａ・・・光通信装置；１０２・・・制御端末；１１０・・・光スイッチ；１１１，１１１ａ・・・制御部；１１２，１１２ａ・・・光通信部；１１３・・・電源部；１１４・・・バッファ；１１５・・・Ｅ／Ｏ変換部；１１６・・・アンプ；１５１・・・ステータス保持部；２０１・・・電源判別部；２０２・・・ステータスモニタ部；２０３・・・切替制御部
【図１】
2016171430.tif 000003
【図２】
2016171430.tif 000004
【図３】
2016171430.tif 000005
【図４】
2016171430.tif 000006
【図５】
2016171430.tif 000007
【図６】
2016171430.tif 000008
【図７】
2016171430.tif 000009